(57)【要約】【課題】元画像の重要な領域を残しつつ、配信先の画面の大きさに見合う適切な大きさの画像を確実に生成することができるようにする。【解決手段】元画像２００の任意の領域に対して配信者により指定されたキーエリア２１０が含まれるように、携帯電話機３の画面の大きさに合わせて元画像２００を切り取り、切り取った領域の画像を画像配信装置２から携帯電話機３に配信することにより、元画像２００の縦横比と、携帯電話機３の画面の縦横比とが異なる場合でも、元画像２００の重要な領域を残しつつ、携帯電話機３の画面の大きさに合った適切な大きさの画像を配信することができるようにする。【選択図】      図１
2005006182.tif 000002
【特許請求の範囲】
【請求項１】
元画像を処理して画像表示装置に配信する画像配信方法であって、
上記画像表示装置の画面の大きさに合わせて上記元画像の一部を切り取り、配信用の画像を生成する画像生成ステップと、
上記画像生成ステップにより生成された配信用の画像を上記画像表示装置に配信する画像配信ステップとを含み、
上記画像生成ステップは、上記元画像の任意の領域に対して配信者により指定された必須表示領域が含まれるように、上記元画像の一部を切り取ることを特徴とする画像配信方法。
【請求項２】
上記画像表示装置の画面の大きさに関する情報を、上記画像表示装置から取得する画面サイズ取得ステップをさらに含み、
上記画像生成ステップは、上記画面サイズ取得ステップにより取得された情報から、上記画像表示装置の画面の大きさを求めることを特徴とする請求項１に記載の画像配信方法。
【請求項３】
上記画像表示装置の種類に関する情報を、上記画像表示装置から取得する端末種類情報取得ステップと、
上記端末種類情報取得ステップにより取得された情報に基づいて、上記画像表示装置の仕様を管理するデータベースにアクセスし、上記データベースから、上記画像表示装置の画面の大きさに関する情報を取得する画面サイズ取得ステップとをさらに含み、
上記画像生成ステップは、上記画面サイズ取得ステップにより取得された情報から、上記画像表示装置の画面の大きさを求めることを特徴とする請求項１に記載の画像配信方法。
【請求項４】
画像配信装置から配信された元画像を処理して画面に表示する画像表示方法であって、
上記画面の大きさに合わせて上記元画像の一部を切り取り、表示用の画像を生成する画像生成ステップと、
上記画像生成ステップにより生成された表示用の画像を上記画面に表示する画像表示ステップとを含み、
上記画像生成ステップは、上記元画像の任意の領域に対して配信者により指定された必須表示領域が含まれるように、上記元画像の一部を切り取ることを特徴とする画像表示方法。
【請求項５】
上記必須表示領域に関する情報を、上記元画像の情報とともに、上記画像配信装置から取得する情報取得ステップをさらに含み、
上記画像生成ステップは、上記情報取得ステップにより取得された情報から、上記必須表示領域を求めることを特徴とする請求項４に記載の画像表示方法。
【請求項６】
元画像を処理して画像表示装置に配信する画像配信装置であって、
上記画像表示装置の画面の大きさに合わせて上記元画像の一部を切り取り、配信用の画像を生成する画像生成手段と、
上記画像生成手段により生成された配信用の画像を上記画像表示装置に配信する画像配信手段とを含み、
上記画像生成手段は、上記元画像の任意の領域に対して配信者により指定された必須表示領域が含まれるように、上記元画像の一部を切り取ることを特徴とする画像配信装置。
【請求項７】
画像配信装置から配信された元画像を処理して画面に表示する画像表示装置であって、
上記画面の大きさに合わせて上記元画像の一部を切り取り、表示用の画像を生成する画像生成手段と、
上記画像生成手段により生成された表示用の画像を上記画面に表示する画像表示手段とを含み、
上記画像生成手段は、上記元画像の任意の領域に対して配信者により指定された必須表示領域が含まれるように、上記元画像の一部を切り取ることを特徴とする画像表示装置。
【請求項８】
元画像を処理して画像表示装置に配信することをコンピュータに実行させるためのコンピュータプログラムであって、
上記画像表示装置の画面の大きさに合わせて上記元画像の一部を切り取り、配信用の画像を生成する画像生成ステップと、
上記画像生成ステップにより生成された配信用の画像を上記画像表示装置に配信する画像配信ステップとを含むステップをコンピュータに実行させ、
上記画像生成ステップは、上記元画像の任意の領域に対して配信者により指定された必須表示領域が含まれるように、上記元画像の一部を切り取ることを特徴とするコンピュータプログラム。
【請求項９】
画像配信装置から配信された元画像を処理して画面に表示することをコンピュータに実行させるためのコンピュータプログラムであって、
上記画面の大きさに合わせて上記元画像の一部を切り取り、表示用の画像を生成する画像生成ステップと、
上記画像生成ステップにより生成された表示用の画像を上記画面に表示する画像表示ステップとを含むステップをコンピュータに実行させ、
上記画像生成ステップは、上記元画像の任意の領域に対して配信者により指定された必須表示領域が含まれるように、上記元画像の一部を切り取ることを特徴とするコンピュータプログラム。
【発明の詳細な説明】
【０００１】
【発明の属する技術分野】
本発明は、画像配信方法、画像表示方法、画像配信装置、画像表示装置、及びコンピュータプログラムに関し、特に、画像を配信するために用いて好適なものである。
【０００２】
【従来の技術】
近年、携帯電話機に待受画像を配信するサービスが実施されているが、携帯電話機の画面の大きさは、機種によってまちまちである。
そこで、上記待受画像を配信するサービスでは、各種の携帯電話機で待受画像を表示することができるように、待受画像の元となる元画像を加工し、この加工した元画像を待受画像として配信するようにしている。具体的に、従来は、以下のようにして待受画像を配信するようにしていた。
【０００３】
まず、携帯電話機の画面に元画像の全体が表示されるように上記元画像を縮小し、この縮小した画像を、待受画像として携帯電話機に配信するようにする第１の従来技術があった。
【０００４】
しかしながら、この第１の従来技術では、図９に示すように、待受画像となる元画像１００の縦横比と、携帯電話機の画面１０１、１０２の縦横比とが異なる場合、携帯電話機の画面１０１、１０２に余分な空白が生じてしまうという問題点があった。
【０００５】
このような問題点を解消するために、携帯電話機の画面の大きさに合わせて予め設定されている領域を、元画像から切り取り、切り取った画像を待受画像として携帯電話機に配信するという第２の従来技術があった。
【０００６】
具体的に説明すると、例えば、図１０に示すように、元画像１１０に対して予め設定されている９つの領域１１１ａ〜１１１ｉの中から配信者により選択された１つの領域を、元画像１１０から切り取り、切り取った画像を携帯電話機に配信するようにする。ここで、上記９つの領域１１１ａ〜１１１ｉは、配信先の携帯電話機の画面１１２と同じ大きさを有している。
【０００７】
このようにすることによって、元画像１１０の縦横比と、携帯電話機の画面１１２の縦横比とが異なる場合であっても、携帯電話機の画面１１２の全体に、待受画像を表示させるようにすることができ、上記第１の従来技術が有する問題点を解消することができる。
【０００８】
【発明が解決しようとする課題】
しかしながら、図１０に示したように、上記第２の従来の技術では、予め設定されている領域を切り取るようにしているので、元画像１１０の内容によっては、人の顔などの重要な領域を切り落としてしまう虞があった。したがって、携帯電話機の画面１１２に、上記重要な領域を表示させることができなくなる虞があった。特に、図１０に示した９つの領域１１１ａ〜１１１ｉで元画像１１０を切り取るという方式では、あらゆる元画像に対して、重要な領域を残すようにすることは不可能であった。
【０００９】
以上のように、上記第２の従来技術では、携帯電話機の画面の大きさに合わせて待受画像を表示させるようにすることはできるが、元画像の重要な領域を確実に表示させるようにすることが困難であるという問題点があった。
【００１０】
本発明は、上述の問題点に鑑みてなされたものであり、元画像の重要な領域を残しつつ、配信先の画面の大きさに見合う適切な大きさの画像を確実に生成することができるようにすることを目的とする。
【００１１】
【課題を解決するための手段】
本発明の画像配信方法は、元画像を処理して画像表示装置に配信する画像配信方法であって、上記画像表示装置の画面の大きさに合わせて上記元画像の一部を切り取り、配信用の画像を生成する画像生成ステップと、上記画像生成ステップにより生成された配信用の画像を上記画像表示装置に配信する画像配信ステップとを含み、上記画像生成ステップは、上記元画像の任意の領域に対して配信者により指定された必須表示領域が含まれるように、上記元画像の一部を切り取ることを特徴としている。
【００１２】
本発明の画像表示方法は、画像配信装置から配信された元画像を処理して画面に表示する画像表示方法であって、上記画面の大きさに合わせて上記元画像の一部を切り取り、表示用の画像を生成する画像生成ステップと、上記画像生成ステップにより生成された表示用の画像を上記画面に表示する画像表示ステップとを含み、上記画像生成ステップは、上記元画像の任意の領域に対して配信者により指定された必須表示領域が含まれるように、上記元画像の一部を切り取ることを特徴としている。
【００１３】
本発明の画像配信装置は、元画像を処理して画像表示装置に配信する画像配信装置であって、上記画像表示装置の画面の大きさに合わせて上記元画像の一部を切り取り、配信用の画像を生成する画像生成手段と、上記画像生成手段により生成された配信用の画像を上記画像表示装置に配信する画像配信手段とを含み、上記画像生成手段は、上記元画像の任意の領域に対して配信者により指定された必須表示領域が含まれるように、上記元画像の一部を切り取ることを特徴としている。
【００１４】
本発明の画像表示装置は、画像配信装置から配信された元画像を処理して画面に表示する画像表示装置であって、上記画面の大きさに合わせて上記元画像の一部を切り取り、表示用の画像を生成する画像生成手段と、上記画像生成手段により生成された表示用の画像を上記画面に表示する画像表示手段とを含み、上記画像生成手段は、上記元画像の任意の領域に対して配信者により指定された必須表示領域が含まれるように、上記元画像の一部を切り取ることを特徴としている。
【００１５】
本発明のコンピュータプログラムは、元画像を処理して画像表示装置に配信することをコンピュータに実行させるためのコンピュータプログラムであって、上記画像表示装置の画面の大きさに合わせて上記元画像の一部を切り取り、配信用の画像を生成する画像生成ステップと、上記画像生成ステップにより生成された配信用の画像を上記画像表示装置に配信する画像配信ステップとを含むステップをコンピュータに実行させ、上記画像生成ステップは、上記元画像の任意の領域に対して配信者により指定された必須表示領域が含まれるように、上記元画像の一部を切り取ることを特徴としている。
また、本発明の他の特徴とするところは、画像配信装置から配信された元画像を処理して画面に表示することをコンピュータに実行させるためのコンピュータプログラムであって、上記画面の大きさに合わせて上記元画像の一部を切り取り、表示用の画像を生成する画像生成ステップと、上記画像生成ステップにより生成された表示用の画像を上記画面に表示する画像表示ステップとを含むステップをコンピュータに実行させ、上記画像生成ステップは、上記元画像の任意の領域に対して配信者により指定された必須表示領域が含まれるように、上記元画像の一部を切り取る点にある。
【００１６】
【発明の実施の形態】
（第１の実施の形態）
次に、図面を参照しながら、本発明の第１の実施の形態を説明する。
図１は、本実施の形態の画像配信システムの構成の一例を示したブロック図である。
【００１７】
図１において、画像配信システム１は、画像配信装置２と、画像表示装置として配設される携帯電話機３と、ネットワークオペレーションセンタ４と、ＩＰサーバ５と、インターネット６とを有している。
【００１８】
そして、画像配信装置２と、ネットワークオペレーションセンタ４と、ＩＰサーバ５は、インターネット６を介して相互に通信することができるように構成されている。また、携帯電話機３は、ネットワークオペレーションセンタ４と通信することができるように構成されている。
【００１９】
画像配信装置２は、配信する画像（例えば待受画像）の元となる元画像を後述するようにして処理し、携帯電話機３に配信するためのものである。
ネットワークオペレーションセンタ４は、携帯電話機３をインターネット６に接続するためのものである。
【００２０】
ＩＰサーバ５は、携帯電話機３の仕様などを管理するためのデータベースを有するものである。なお、上記において、携帯電話機３の仕様とは、携帯電話機３に関わる情報である。具体的に説明すると、携帯電話機３の種類や、画面の大きさに関する情報などである。
【００２１】
画像配信装置２の具体的な構成について説明する。
図１において、画像配信装置２は、操作部２１と、表示部２２と、処理部２３と、通信部２４とを有している。
【００２２】
操作部２１は、キーボードやポインティングデバイスなどにより構成されるインターフェース装置である。
表示部２２は、デスクトップ型の液晶ディスプレイ装置などにより構成される表示装置である。この表示部２２は、グラフィック配信者インターフェースとしての機能を有する。配信者（ユーザ）は、この表示部２２に表示されている内容を見ながら、操作部２１を操作して画像配信装置２における処理動作を実行させるための指示を行う。
【００２３】
処理部２３は、ＣＰＵ、ＲＯＭ、ＲＡＭ、及びハードディスクドライブなどにより構成される装置である。上記ＣＰＵは、上記ＲＯＭなどに記憶されているプログラムを実行し、画像配信装置２における処理動作を制御する。
【００２４】
通信部２４は、画像配信装置２をインターネット６に接続するための通信インターフェースなどにより構成される装置である。この通信部２４は、処理部２３で実行された結果に基づく情報を、インターネット６を介して外部の装置に送信する。また、通信部２４は、インターネット６を介して画像配信装置２宛てに送られてきた情報を受信し、処理部２３に出力する。
【００２５】
ここで、処理部２３が有する具体的な機能を説明する。
処理部２３は、元画像取得部２３ａと、元画像表示制御部２３ｂと、キーエリア取得部２３ｃと、画像配信要求取得部２３ｄと、切り取り領域算出部２３ｅと、配信画像生成部２３ｆとを有している。
【００２６】
配信者は、操作部２１を操作して、図示しない外部装置などから元画像２００を取り込むための指示を行う。これにより、元画像取得部２３ａは、元画像２００を取り込み、記録する。
【００２７】
配信者は、操作部２１を操作して、上記記録した元画像２００を表示部２２に表示させるための指示を行う。これにより、元画像表示制御部２３ｂは、上記記録した元画像２００を読み出して、表示部２２に表示する（図２（ａ）を参照）。
【００２８】
配信者は、操作部２１を操作して、上記表示した元画像２００に対して、キーエリア２１０を指定する（図２（ｂ）を参照）。このキーエリア２１０は、元画像２００の必須表示領域である。本実施の形態では、元画像２００の任意の領域に対して、このキーエリア２１０を指定することができるようにしている。
【００２９】
配信者は、操作部２１を操作して、上記指定したキーエリア２１０の情報を取り込むための指示を行う。これにより、キーエリア取得部２３ｃは、キーエリア２１０の情報を取り込み、記録する。
【００３０】
このとき、キーエリア取得部２３ｃは、元画像２００と、キーエリア２１０とを対応付けるようにする。具体的に説明すると、これらを対応付けるためのテーブルを用いたり、元画像２００の情報にキーエリア２１０の情報を埋め込んだりして、上記表示した元画像２００とキーエリア２１０とを対応付けるようにする。
【００３１】
画像配信要求取得部２３ｄは、携帯電話機３からの画像配信要求を、通信部２４を介して入力する。上記画像配信要求には、携帯電話機３の種類に関する情報と、携帯電話機３の画面（表示領域）の大きさ（以下、携帯電話機３の画面サイズと称する）に関する情報とのうち、少なくとも何れか一方が付けられている。
【００３２】
そして、上記携帯電話機３の画面サイズに関する情報が、上記画像配信要求に付けられている場合、画像配信要求取得部２３ｄは、入力した画像配信要求に関する情報と、携帯電話機３の画面サイズに関する情報とを（一時的に）記録する。
【００３３】
一方、上記携帯電話機３の画面サイズに関する情報が、上記画像配信要求に付けられていない場合、画像配信要求取得部２３ｄは、上記画像配信要求に関する情報を（一時的に）に記録するとともに、上記画像配信要求に付けられている携帯電話機３の種類に関する情報をＩＰサーバ５に送信する。
【００３４】
ＩＰサーバ５は、上記送信された携帯電話機３の種類に関する情報に基づいて、携帯電話機３の画面サイズに関する情報を上記データ−ベースから取り出し、画像配信装置２に返信する。画像配信要求取得部２３ｄは、上記返信された携帯電話機３の画面サイズに関する情報を、通信部２４を介して入力し、（一時的に）記録する。
【００３５】
切り取り領域算出部２３ｅは、画像配信要求取得部２３ｄにより取得された画像配信要求に関する情報に基づいて、該当する元画像２００の情報を元画像取得部２３ａから読み出す。また、上記読み出した元画像２００の情報に対応付けられているキーエリア２１０の情報をキーエリア取得部２３ｃから読み出す。さらに、携帯電話機３の画面サイズに関する情報を画像配信要求取得部２３ｄから読み出す。そして、これらの情報に基づいて、元画像２００の切り取り領域を求める。
【００３６】
図３を参照しながら、元画像２００の切り取り領域を求める方法の一例について説明する。
まず、携帯電話機３の画面サイズと同じ大きさの枠３００を決める。
次に、キーエリア２１０で囲まれる領域の中心と、枠３００の中心とが一致するように枠３００を元画像２００にセットする（図３の左端の図を参照）。そして、キーエリア２１０における画像が、枠３００内一杯に収まるように、元画像２００を拡大する（図３の中央の図を参照）。
【００３７】
次に、元画像２００の縦方向の両端、又は横方向の両端が、枠３００に当たるまで元画像２００を縮小する（図３の右端の図を参照）。そして、このときに枠３００内に表示されている領域を、切り取り領域とする。
なお、上記における拡大又は縮小は、元画像２００の縦横比と同じ割合で行うようにする。
【００３８】
配信画像生成部２３ｆは、以上のようにして求められた切り取り領域を元画像２００から切り取って、配信用の画像（以下、配信用画像と称する）を生成し、通信部２４に出力する。これにより、配信用画像が、携帯電話機３に配信される。
なお、上記切り取った画像を縮小し、この縮小した画像を配信用画像としてもよい。このようにすれば、携帯電話機３の画面よりも配信用画像を若干小さくすることができ、余裕のある設計を行うことができる。
【００３９】
次に、携帯電話機３の具体的な構成について説明する。
図１において、携帯電話機３は、操作部３１と、表示部３２と、処理部３３と、通信部３４とを有している。
【００４０】
操作部３１は、ボタンなどにより構成されるインターフェース装置である。
表示部３２は、携帯電話機３の本体に埋め込まれた液晶ディスプレイ装置などにより構成される表示装置である。
この表示部３２は、グラフィックユーザインターフェースとしての機能を有する。携帯電話機３の利用者（ユーザ）は、表示部３２に表示されている内容を見ながら、操作部３１を操作して携帯電話機３における処理動作を実行させるための指示を行う。
【００４１】
処理部３３は、ＣＰＵ、ＲＯＭ、及びＲＡＭなどにより構成される装置である。上記ＣＰＵは、上記ＲＯＭなどに記憶されているプログラムを実行し、携帯電話機３における処理動作を制御する。
【００４２】
通信部３４は、携帯電話機３を、ネットワークオペレーションセンタ４に接続するための通信インターフェースやアンテナなどにより構成される装置である。この通信部３４は、処理部３３で実行された結果に基づく情報を、ネットワークオペレーションセンタ４に送信する。また、通信部３４は、ネットワークオペレーションセンタ４から携帯電話機３宛てに配信された配信用画像を受信し、処理部３３に出力する。
【００４３】
ここで、処理部３３が有する具体的な機能を説明する。
処理部３３は、画像配信要求制御部３３ａと、配信画像取得部３３ｂと、配信画像表示制御部３３ｃとを有している。
利用者は、操作部３１を操作して、画像の配信を要求するための指示（上記画像配信要求）を行う。これにより、画像配信要求制御部３３ａは、画像配信要求に関する情報と、自身の携帯電話機３の種類に関する情報とを通信部３４に出力する。
このとき、表示部３２の画面サイズに関する情報を有している場合には、その情報も併せて通信部３４に出力する。
以上のようにして通信部３４に出力された情報は、画像配信装置２に送信される。
【００４４】
配信画像取得部３３ｂは、上述したようにして画像配信要求を行った後に、画像配信装置２から配信された配信用画像を通信部３４から入力し、記録する。
画像表示制御部３３ｃは、配信画像取得部３３ｂにより記録された配信用画像を読み出し、表示部３２に表示する。
【００４５】
次に、図４のフローチャートを参照しながら、本実施の形態の画像配信装置２における処理の一例を説明する。なお、元画像２００の情報とキーエリア２１０の情報は、既に記録されているとして説明する。
【００４６】
まず、最初のステップ（処理）Ｓ１において、画像配信要求取得部２３ｄは、携帯電話機３から、画像配信要求があるまで待機し、画像配信要求があったらステップＳ２に進む。
【００４７】
次に、ステップＳ２において、画像配信要求取得部２３ｄは、携帯電話機３の画面サイズに関する情報が、画像配信要求に付いているか否かを判定する。
この判定の結果、携帯電話機３の画面サイズに関する情報が、画像配信要求に付いている場合には、ステップＳ３に進み、画像配信要求取得部２３ｄは、上記画像配信要求に付いている携帯電話機３の画面サイズに関する情報を記録する。
【００４８】
一方、携帯電話機３の画面サイズに関する情報が、画像配信要求に付いていない場合には、ステップＳ４に進み、画像配信要求取得部２３は、上記画像配信要求に付いている携帯電話機３の種類に関する情報をＩＰサーバ５に送信する。そして、上記携帯電話機３の画面サイズに関する情報を、ＩＰサーバ５から入力し、記録する。
【００４９】
以上のステップＳ３又はステップＳ４の処理により、携帯電話機３の画面サイズに関する情報が記録されると、ステップＳ５に進み、切り取り領域算出部２３ｅは、元画像２００の情報と、キーエリア２１０の情報と、携帯電話機３の画面サイズに関する情報とを読み出す。そして、図３を用いて説明したようにして元画像２００の切り取り領域を求める。
【００５０】
次に、ステップＳ６において、配信画像生成部２３ｆは、ステップＳ５の処理で求められた切り取り領域を元画像２００から切り取り、配信用画像を生成する。
次に、ステップＳ７において、配信画像生成部２３ｆは、ステップＳ６の処理で生成された配信用画像を通信部２４に出力する。これにより、配信用画像が、携帯電話機３に配信される。
【００５１】
以上のように、本実施の形態では、元画像２００の任意の領域に対して配信者により指定されたキーエリア２１０が含まれるように、携帯電話機３の画面の大きさに合わせて元画像２００を切り取り、切り取った領域の画像を配信するようにしたので、元画像２００の縦横比と、携帯電話機３の画面の縦横比とが異なる場合でも、元画像２００の重要な領域を残しつつ、携帯電話機３の画面の大きさに合った適切な大きさの画像を配信することができる。
【００５２】
したがって、配信された画像が小さ過ぎたり、人の顔などの重要な領域が表示されなかったりするなどの不都合を確実に防止することができ、携帯電話機３の利用者に、適切な画像配信サービスを提供することができるようになる。
【００５３】
また、縦横比を変えることなく元画像２００を拡大、縮小して配信用画像を生成するようにしたので、元画像２００の画質を活かした鮮明な画像を配信することができる。
【００５４】
さらに、画像配信装置２が予め保持しなければならない情報は、元画像２００に関する情報と、キーエリア２１０に関する情報だけである。したがって、従来のように、携帯電話機３の種類（画面の大きさ）に応じた多くの情報を画像配信装置が保持しなくてもよくなる。
【００５５】
なお、図１では、携帯電話機３が１つの場合を例示したが、複数の携帯電話機から画像配信装置２に画像配信要求を行うことも可能であるということは言うまでもない。
そして、同じ機種の複数の携帯電話機から一定時間内に同一の画像配信要求があった場合には、上記同じ機種の複数の携帯電話機に一括して画像を配信するように構成することも可能である。
【００５６】
（第２の実施の形態）
次に、本発明の第２の実施の形態を説明する。上述した第１の実施の形態では、切り取り領域を配信元で求めるようにしたが、本実施の形態では、切り取り領域を配信先で求めるようにしている。
【００５７】
このように、本実施の形態と、上述した第１の実施の形態とは、ソフトウェア処理が異なるだけであり、その他の構成については、同じである。したがって、以下の説明では、上述した第１の実施の形態と同一の部分については、図１〜図４に付した符号と同一の符号を付すなどして詳細な説明を省略する。
【００５８】
図５は、本実施の形態の画像配信システムの構成の一例を示したブロック図である。
図５において、画像配信システム５１は、画像配信装置５２と、画像表示装置として配設される携帯電話機５３と、ネットワークオペレーションセンタ４と、ＩＰサーバ５と、インターネット６を有している。
【００５９】
まず、画像配信装置５２の具体的な構成について説明する。
画像配信装置５２は、操作部２１と、表示部２２と、処理部５４と、通信部２４とを有している。
処理部５４は、上述した画像配信装置２に配設されている処理部２３と同様に、ＣＰＵ、ＲＯＭ、ＲＡＭ、及びハードディスクドライブなどにより構成される装置である。
【００６０】
ここで、処理部５４が有する具体的な機能を説明する。
処理部５４は、元画像取得部２３ａと、元画像表示制御部２３ｂと、キーエリア取得部２３ｃと、画像配信制御部５４ａとを有している。
【００６１】
画像配信制御部５４ａは、携帯電話機５３から送信された画像配信要求を、通信部２４を介して入力すると、該当する元画像２００に関する情報を元画像取得部２３ａから読み出す。また、上記読み出した元画像２００に対応付けられているキーエリア２１０に関する情報をキーエリア取得部２３ｃから読み出す。
そして、読み出した情報を、通信部２４に出力し、携帯電話機５３に配信する。
なお、上記において、元画像２００にキーエリア２１０が対応付けられていない場合には、元画像２００のみを読み出して配信する。
【００６２】
次に、携帯電話機５３の具体的な構成について説明する。
携帯電話機５３は、操作部３１と、表示部３２と、処理部５５と、通信部３４とを有している。
処理部５５は、上述した携帯電話機３に配設されている処理部３３と同様に、ＣＰＵ、ＲＯＭ、及びＲＡＭなどにより構成される装置である。
【００６３】
ここで、処理部５５が有する具体的な機能を説明する。
処理部５５は、画像配信要求制御部３３ａと、元画像・キーエリア取得部５５ａと、切り取り領域算出部５５ｂと、画像リサイズ部５５ｃと、第１の画像生成部５５ｄと、第２の画像生成部５５ｅと、画像表示制御部３３ｃとを有している。
【００６４】
元画像・キーエリア取得部５５ａは、上述したようにして画像配信装置５２から配信された元画像２００の情報を通信部３４から入力し、（一時的に）記録する。
この元画像２００の情報とともに、キーエリア２１０の情報も入力した場合、元画像・キーエリア取得部５５ａは、このキーエリア２１０の情報も併せて（一時的に）記録する。そして、切り取り領域算出部５５ｂを起動する。
一方、元画像２００の情報のみを入力した場合、元画像・キーエリア取得部５５ａは、画像リサイズ部５５ｃを起動する。
【００６５】
切り取り領域算出部５５ｂは、上記記録された元画像２００の情報と、キーエリア２１０の情報とを読み出すとともに、予め保持している表示部３２の画面サイズに関する情報を読み出す。そして、上述した第１の実施の形態と同様にして、元画像２００の切り取り領域を求める。
【００６６】
画像リサイズ部５５ｃは、上記記録された元画像２００の情報を読み出すとともに、予め保持している表示部３２の画面サイズに関する情報を読み出す。そして、表示部３２の画面サイズに応じて、元画像２００の拡大率又は縮小率を求める。
【００６７】
第１の画像生成部５５ｄは、切り取り領域算出部５５ｂにより求められた切り取り領域を元画像２００から切り取り、表示用の画像（以下、第１の表示用画像と称する）を生成する。
【００６８】
第２の画像生成部５５ｅは、画像リサイズ部５５ｃにより求められた拡大率又は縮小率で、元画像２００を拡大又は縮小し、表示用の画像（以下、第２の表示用画像と称する）を生成する。
【００６９】
画像表示制御部３３ｃは、第１の画像生成部５５ｄにより生成された第１の表示用画像、又は第２の画像生成部５５ｅにより生成された第２の表示用画像を表示部３２に表示する。
【００７０】
次に、図６のフローチャートを参照しながら、本実施の形態の画像配信装置５２における処理の一例を説明する。なお、元画像２００の情報とキーエリア２１０の情報は、既に記録されているとして説明する。
【００７１】
まず、最初のステップＳ１１において、画像配信制御部５４ａは、携帯電話機５３から、画像配信要求があるまで待機し、画像配信要求があったら、ステップＳ１２に進む。
【００７２】
そして、ステップＳ１２において、画像配信制御部５４ａは、該当する元画像２００の情報を元画像取得部２３ａから読み出す。
次に、ステップＳ１３において、画像配信制御部５４ａは、ステップＳ１２で読み出した元画像２００に対し、キーエリア２１０が指定されているか否かを判定する。
この判定の結果、キーエリア２１０が指定されている場合には、ステップＳ１４に進み、画像配信制御部５４ａは、該当するキーエリア２１０の情報をキーエリア取得部２３ｃから読み出す。
【００７３】
次に、ステップＳ１５において、画像配信制御部５４ａは、ステップＳ１２とステップＳ１４の処理で読み出した元画像２００の情報と、キーエリア２１０の情報とを通信部２４に出力する。これにより、元画像２００の情報と、キーエリア２１０の情報とが、携帯電話機５３に配信される。
【００７４】
一方、上記ステップＳ１３における判定の結果、キーエリア２１０が指定されていない場合には、ステップＳ１６に進み、画像配信制御部５４ａは、ステップＳ１２で読み出した元画像２００の情報を通信部２４に出力する。これにより、元画像２００の情報が、携帯電話機５３に配信される。
【００７５】
次に、図７のフローチャートを参照しながら、本実施の形態の携帯電話機５３における処理の一例を説明する。なお、ここでは、画像配信装置５２に対して画像配信要求を行った後の処理について説明する。
【００７６】
まず、最初のステップＳ２１において、元画像・キーエリア取得部５５ａは、画像配信装置５２から通信部３４を介して入力した元画像２００の情報を記録する。
【００７７】
次に、ステップＳ２２において、元画像・キーエリア取得部５５ａは、元画像２００の情報とともに、キーエリア２１０の情報も入力した否かを判定することで、元画像２００に対してキーエリア２１０が指定されているか否かを判定する。
【００７８】
この判定の結果、キーエリア２１０が指定されている場合には、ステップＳ２３に進み、元画像・キーエリア取得部５５ａは、キーエリア２１０の情報を記録する。そして、元画像・キーエリア取得部５５ａは、切り取り領域算出部５５ｂを起動する。
【００７９】
次に、ステップＳ２４において、切り取り領域算出部５５ｂは、ステップＳ２１の処理で記録された元画像２００の情報と、ステップＳ２３の処理で記録されたキーエリア２１０の情報とを、元画像・キーエリア取得部５５ａから読み出すとともに、予め保持している表示部３２の画面サイズに関する情報を読み出す。そして、図３を用いて説明したようにして元画像２００の切り取り領域を求める。
【００８０】
次に、ステップＳ２５において、第１の画像生成部５５ｄは、ステップＳ２４の処理で求められた切り取り領域を元画像２００から切り取り、第１の表示用画像を生成する。
【００８１】
一方、上記ステップＳ２２における判定の結果、キーエリア２１０が指定されていない場合には、ステップＳ２６に進み、元画像・キーエリア取得部５５ａは、画像リサイズ部５５ｃを起動する。
画像リサイズ部５５ｃは、ステップＳ２１の処理で記録された元画像２００の情報を元画像・キーエリア取得５５ａから読み出すとともに、予め保持している表示部３２の画面サイズに関する情報を読み出す。そして、上述したようにして、元画像２００の拡大率又は縮小率を求める。
【００８２】
次に、ステップＳ２７において、第２の画像生成部５５ｅは、ステップＳ２６の処理で求められた拡大率又は縮小率で元画像２００を拡大又は縮小し、第２の表示用画像を生成する。
【００８３】
次にステップＳ２８において、画像表示制御部３３ｃは、ステップＳ２５の処理で生成された第１の表示用画像、又はステップＳ２７の処理で生成された第２の表示用画像を表示部３２に表示する。
【００８４】
以上のように、本実施の形態では、元画像２００と、元画像２００の任意の領域に対して配信者（ユーザ）により指定されたキーエリア２１０とを、画像配信装置５２から携帯電話機５３に配信し、携帯電話機５３において、切り取り領域を求めて表示するようにしたので、画像配信装置５２における処理を簡略化することができる。これにより、上述した第１の実施の形態における効果に加え、より安価に画像配信サービスを提供することができる。
【００８５】
なお、図５では、携帯電話機が１つの場合を例示したが、複数の携帯電話機から画像配信装置５２に画像配信要求を行うことも可能であるということは言うまでもない。
そして、同じ種類の複数の携帯電話機から一定時間内に同一の画像配信要求があった場合には、上記同じ種類の複数の携帯電話機に一括して元画像２００（キーエリア２１０）を配信するように構成することも可能である。
【００８６】
また、上述した各実施の形態では、画像表示装置として携帯電話機３を例に挙げて説明したが、画像表示装置は携帯電話機３に限定されない。例えば、インターネット６に接続されたデスクトップ型のクライアント端末装置などであってもよい。
【００８７】
（本発明の他の実施の形態）
上述した画像配信装置２、５２や携帯電話機（画像表示装置）３、５３におけるソフトウェア処理（機能）は、図８に示すようなコンピュータシステムを用いることにより実現することができる。
図８は、画像配信装置２、５２や画像表示装置３、５３に配設されているコンピュータシステムの構成の一例を示したブロック図である。
図８において、コンピュータシステム８０は、ＣＰＵ８１と、ＲＯＭ８２と、ＲＡＭ８３と、キーボード（ＫＢ）８４のキーボードコントローラ（ＫＢＣ）８５と、表示部としてのＣＲＴディスプレイ（ＣＲＴ）８６のＣＲＴコントローラ（ＣＲＴＣ）８７と、ハードディスク（ＨＤ）８８及びフレキシブルディスク（ＦＤ）８９のディスクコントローラ（ＤＫＣ）９０と、ネットワーク９１との接続のためのネットワークインターフェースコントローラ（ＮＩＣ）９２とが、システムバス９３を介して互いに通信可能に接続された構成としている。
【００８８】
ＣＰＵ８１は、ＲＯＭ８２或いはＨＤ８８に記憶されたソフトウェア、或いはＦＤ８９より供給されるソフトウェアを実行することで、システムバス８３に接続された各構成部を総括的に制御する。
すなわち、ＣＰＵ８１は、所定の処理シーケンスに従った処理プログラムを、ＲＯＭ８２、或いはＨＤ８８、或いはＦＤ８９から読み出して実行することで、装置の動作を実現するための制御を行う。
【００８９】
ＲＡＭ８３は、ＣＰＵ８１の主メモリ或いはワークエリア等として機能する。
ＫＢＣ８５は、ＫＢ８４や図示していないポインティングデバイス等からの指示入力を制御する。
【００９０】
ＣＲＴＣ８７は、ＣＲＴ８６の表示を制御する。
ＤＫＣ９０は、ブートプログラム、種々のアプリケーション、編集ファイル、ユーザファイル、ネットワーク管理プログラム、及び所定の処理プログラム等を記憶するＨＤ８８及びＦＤ８９とのアクセスを制御する。
ＮＩＣ８２は、ネットワーク９１上の装置或いはシステムと双方向にデータをやりとりする。
【００９１】
そして、上述した実施の形態の機能を実現するべく各種のデバイスを動作させるように、該各種デバイスと接続された装置あるいはシステム内のコンピュータに対し、上記実施の形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００９２】
また、この場合、上記ソフトウェアのプログラムコード自体が上述した実施の形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００９３】
また、コンピュータが供給されたプログラムコードを実行することにより、上述した実施の形態の機能が実現されるだけでなく、そのプログラムコードがコンピュータにおいて稼働しているＯＳ（オペレーティングシステム）あるいは他のアプリケーションソフト等と共同して上述した実施の形態の機能が実現される場合にもかかるプログラムコードは本発明の実施の形態に含まれることは言うまでもない。
【００９４】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることは言うまでもない。
【００９５】
本発明の実施態様の例を以下に列挙する。
（付記１）  元画像を処理して画像表示装置に配信する画像配信方法であって、
上記画像表示装置の画面の大きさに合わせて上記元画像の一部を切り取り、配信用の画像を生成する画像生成ステップと、
上記画像生成ステップにより生成された配信用の画像を上記画像表示装置に配信する画像配信ステップとを含み、
上記画像生成ステップは、上記元画像の任意の領域に対して配信者により指定された必須表示領域が含まれるように、上記元画像の一部を切り取ることを特徴とする画像配信方法。
【００９６】
（付記２）  上記画像表示装置の画面の大きさに関する情報を、上記画像表示装置から取得する画面サイズ取得ステップをさらに含み、
上記画像生成ステップは、上記画面サイズ取得ステップにより取得された情報から、上記画像表示装置の画面の大きさを求めることを特徴とする付記１に記載の画像配信方法。
【００９７】
（付記３）  上記画像表示装置の種類に関する情報を、上記画像表示装置から取得する端末種類情報取得ステップと、
上記端末種類情報取得ステップにより取得された情報に基づいて、上記画像表示装置の仕様を管理するデータベースにアクセスし、上記データベースから、上記画像表示装置の画面の大きさに関する情報を取得する画面サイズ取得ステップとをさらに含み、
上記画像生成ステップは、上記画面サイズ取得ステップにより取得された情報から、上記画像表示装置の画面の大きさを求めることを特徴とする付記１に記載の画像配信方法。
【００９８】
（付記４）  上記画像生成ステップは、上記必須表示領域よりも広い領域を切り取ることを特徴とする付記１〜３の何れかに記載の画像配信方法。
【００９９】
（付記５）  上記必須表示領域は、矩形状であることを特徴とする付記１〜４の何れかに記載の画像配信方法。
【０１００】
（付記６）  上記画像生成ステップは、上記元画像を縮小し、上記縮小した元画像の一部を切り取ることを特徴とする付記１〜５の何れかに記載の画像配信方法。
【０１０１】
（付記７）  上記画像生成ステップは、上記必須表示領域を中央にして、上記元画像の一部を切り取ることを特徴とする付記１〜６の何れかに記載の画像配信方法。
【０１０２】
（付記８）  上記画像表示装置は、携帯電話機であることを特徴とする付記１〜７の何れかに記載の画像配信方法。
【０１０３】
（付記９）  画像配信装置から配信された元画像を処理して画面に表示する画像表示方法であって、
上記画面の大きさに合わせて上記元画像の一部を切り取り、表示用の画像を生成する画像生成ステップと、
上記画像生成ステップにより生成された表示用の画像を上記画面に表示する画像表示ステップとを含み、
上記画像生成ステップは、上記元画像の任意の領域に対して配信者により指定された必須表示領域が含まれるように、上記元画像の一部を切り取ることを特徴とする画像表示方法。
【０１０４】
（付記１０）  上記必須表示領域に関する情報を、上記元画像の情報とともに、上記画像配信装置から取得する情報取得ステップをさらに含み、
上記画像生成ステップは、上記情報取得ステップにより取得された情報から、上記必須表示領域を求めることを特徴とする付記９に記載の画像表示方法。
【０１０５】
（付記１１）  上記画像生成ステップは、上記必須表示領域よりも広い領域を切り取ることを特徴とする付記９又は１０に記載の画像表示方法。
【０１０６】
（付記１２）  上記必須表示領域は、矩形状であることを特徴とする付記９〜１１の何れかに記載の画像表示方法。
【０１０７】
（付記１３）  上記画像生成ステップは、上記元画像を縮小し、上記縮小した元画像の一部を切り取ることを特徴とする付記９〜１２の何れかに記載の画像表示方法。
【０１０８】
（付記１４）  上記画像生成ステップは、上記必須表示領域を中央にして、上記元画像の一部を切り取ることを特徴とする付記９〜１３の何れかに記載の画像表示方法。
【０１０９】
（付記１５）  元画像を処理して画像表示装置に配信する画像配信装置であって、
上記画像表示装置の画面の大きさに合わせて上記元画像の一部を切り取り、配信用の画像を生成する画像生成手段と、
上記画像生成手段により生成された配信用の画像を上記画像表示装置に配信する画像配信手段とを含み、
上記画像生成手段は、上記元画像の任意の領域に対して配信者により指定された必須表示領域が含まれるように、上記元画像の一部を切り取ることを特徴とする画像配信装置。
【０１１０】
（付記１６）  上記画像表示装置の画面の大きさに関する情報を、上記画像表示装置から取得する画面サイズ取得手段をさらに含み、
上記画像生成手段は、上記画面サイズ取得手段により取得された情報から、上記画像表示装置の画面の大きさを求めることを特徴とする付記１５に記載の画像配信装置。
【０１１１】
（付記１７）  上記画像表示装置の種類に関する情報を、上記画像表示装置から取得する端末種類情報取得手段と、
上記端末種類情報取得手段により取得された情報に基づいて、上記画像表示装置の仕様を管理するデータベースにアクセスし、上記データベースから、上記画像表示装置の画面の大きさに関する情報を取得する画面サイズ取得手段とをさらに含み、
上記画像生成手段は、上記画面サイズ取得手段により取得された情報から、上記画像表示装置の画面の大きさを求めることを特徴とする付記１５に記載の画像配信装置。
【０１１２】
（付記１８）  上記画像生成手段は、上記必須表示領域よりも広い領域を切り取ることを特徴とする付記１５〜１７の何れかに記載の画像配信装置。
【０１１３】
（付記１９）  上記必須表示領域は、矩形状であることを特徴とする付記１５〜１８の何れかに記載の画像配信装置。
【０１１４】
（付記２０）  上記画像生成手段は、上記元画像を縮小し、上記縮小した元画像の一部を切り取ることを特徴とする付記１５〜１９の何れかに記載の画像配信装置。
【０１１５】
（付記２１）  上記画像生成手段は、上記必須表示領域を中央にして、上記元画像の一部を切り取ることを特徴とする付記１５〜２０の何れかに記載の画像配信装置。
【０１１６】
（付記２２）  上記画像表示装置は、携帯電話機であることを特徴とする付記１５〜２１の何れかに記載の画像配信装置。
【０１１７】
（付記２３）  画像配信装置から配信された元画像を処理して画面に表示する画像表示装置であって、
上記画面の大きさに合わせて上記元画像の一部を切り取り、表示用の画像を生成する画像生成手段と、
上記画像生成手段により生成された表示用の画像を上記画面に表示する画像表示手段とを含み、
上記画像生成手段は、上記元画像の任意の領域に対して配信者により指定された必須表示領域が含まれるように、上記元画像の一部を切り取ることを特徴とする画像表示装置。
【０１１８】
（付記２４）  上記必須表示領域に関する情報を、上記元画像の情報とともに、上記画像配信装置から取得する情報取得手段をさらに含み、
上記画像生成手段は、上記情報取得手段により取得された情報から、上記必須表示領域を求めることを特徴とする付記２３に記載の画像表示装置。
【０１１９】
（付記２５）  上記画像生成手段は、上記必須表示領域よりも広い領域を切り取ることを特徴とする付記２３又は２４に記載の画像表示装置。
【０１２０】
（付記２６）  上記必須表示領域は、矩形状であることを特徴とする付記２３〜２５の何れかに記載の画像表示装置。
【０１２１】
（付記２７）  上記画像生成手段は、上記元画像を縮小し、上記縮小した元画像の一部を切り取ることを特徴とする付記２３〜２６の何れかに記載の画像表示装置。
【０１２２】
（付記２８）  上記画像生成手段は、上記必須表示領域を中央にして、上記元画像の一部を切り取ることを特徴とする付記２３〜２７の何れかに記載の画像表示装置。
【０１２３】
（付記２９）  元画像を処理して画像表示装置に配信することをコンピュータに実行させるためのコンピュータプログラムであって、
上記画像表示装置の画面の大きさに合わせて上記元画像の一部を切り取り、配信用の画像を生成する画像生成ステップと、
上記画像生成ステップにより生成された配信用の画像を上記画像表示装置に配信する画像配信ステップとを含むステップをコンピュータに実行させ、
上記画像生成ステップは、上記元画像の任意の領域に対して配信者により指定された必須表示領域が含まれるように、上記元画像の一部を切り取ることを特徴とするコンピュータプログラム。
【０１２４】
（付記３０）  画像配信装置から配信された元画像を処理して画面に表示することをコンピュータに実行させるためのコンピュータプログラムであって、
上記画面の大きさに合わせて上記元画像の一部を切り取り、表示用の画像を生成する画像生成ステップと、
上記画像生成ステップにより生成された表示用の画像を上記画面に表示する画像表示ステップとを含むステップをコンピュータに実行させ、
上記画像生成ステップは、上記元画像の任意の領域に対して配信者により指定された必須表示領域が含まれるように、上記元画像の一部を切り取ることを特徴とするコンピュータプログラム。
【０１２５】
（付記３１）  上記付記２９又は３０に記載のコンピュータプログラムを記録したことを特徴とするコンピュータ読み取り可能な記録媒体。
【０１２６】
（付記３２）  元画像の任意の領域に対して配信者により指定された必須表示領域に関する情報が、上記元画像の情報に埋め込まれた構造を有し、
上記必須表示領域が表示されるように、上記元画像が処理されるようにしたことていることを特徴とする画像データ。
【０１２７】
（付記３３）  上記付記３２に記載の画像データを記録したことを特徴とする記録媒体。
【０１２８】
【発明の効果】
以上説明したように本発明によれば、元画像を処理して画像表示装置に配信するに際し、上記元画像の任意の領域に対して配信者により指定された必須表示領域が含まれるように、上記画像表示装置の画面の大きさに合わせて上記元画像の一部を切り取り、上記画像表示装置に配信するようにしたので、上記元画像の重要な領域を残しつつ、上記画像表示装置の画面の大きさに見合う適切な大きさの画像を配信することができる。これにより、適切な画像配信サービスを提供することができる。
【０１２９】
また、本発明の他の特徴によれば、画像配信装置から配信された元画像を処理して画面に表示するに際し、上記元画像の任意の領域に対して配信者により指定された必須表示領域が含まれるように、上記画面の大きさに合わせて上記元画像の一部を切り取り、上記画面に表示するようにしたので、上記元画像の重要な領域を残しつつ、上記画面の大きさに見合う適切な大きさの画像を表示することができる。これにより、上記画像配信装置における処理を簡略化することができ、適切な画像配信サービスを安価に提供することができる。
【図面の簡単な説明】
【図１】本発明の第１の実施の形態を示し、画像配信システムの構成の一例を示したブロック図である。
【図２】本発明の第１の実施の形態を示し、元画像と、キーエリアとの一例を示した図である。
【図３】本発明の第１の実施の形態を示し、元画像の切り取り領域を求める際の概念を説明する図である。
【図４】本発明の第１の実施の形態を示し、画像配信装置における処理の一例を説明するフローチャートである。
【図５】本発明の第２の実施の形態を示し、画像配信システムの構成の一例を示したブロック図である。
【図６】本発明の第２の実施の形態を示し、画像配信装置における処理の一例を説明するフローチャートである。
【図７】本発明の第２の実施の形態を示し、携帯電話機における処理の一例を説明するフローチャートである。
【図８】本発明の他の実施の形態を示し、画像配信装置や画像表示装置に配設されているコンピュータシステムの構成の一例を示したブロック図である。
【図９】第１の従来技術を示し、元画像の縦横比と、携帯電話機の表示画面の縦横比とが異なる場合の表示例を示した図である。
【図１０】第２の従来技術を示し、元画像の縦横比と、携帯電話機の表示画面の縦横比とが異なる場合の表示例を示した図である。
【符号の説明】
１、５１  画像配信システム
２、５２  画像配信装置
３、５３  携帯電話機
４  ネットワークオペレーションセンタ
５  ＩＰサーバ
６  インターネット
【図１】
2005006182.tif 000003
【図２】
2005006182.tif 000004
【図３】
2005006182.tif 000005
【図４】
2005006182.tif 000006
【図５】
2005006182.tif 000007
【図６】
2005006182.tif 000008
【図７】
2005006182.tif 000009
【図８】
2005006182.tif 000010
【図９】
2005006182.tif 000011
【図１０】
2005006182.tif 000012